(57)【要約】      （修正有）【課題】長期に亘り容器状の可動底板とケーシング内壁との間のシール効果を維持することができ、また、容器状の可動底板の上下動変位が容易にでき、さらに容器状の可動底板内部の清掃作業が容易にできるバケットエレベータの可動底板シール装置を提供すること。【解決手段】バケットエレベータ１の底部ケーシング７内を上下方向に変位可能に支持された容器状の可動底板の開口周縁側壁部全周に亘って、シール部材が固定されている。底部ケーシング７の内壁面に固定スカート１９を取り付け、底部ケーシング７の内壁面と固定スカート１９との間に形成された隙間に、シール部材が固定された可動底板の開口周縁側壁部を挿入することによりバケットエレベータの可動底板シール装置を構成する。【選択図】図１
2007276923.tif 000002
【特許請求の範囲】
【請求項１】
バケットエレベータの底部ケーシング内を上下方向に変位可能に支持された容器状の可動底板の開口周縁側壁部全周に亘って、シール部材が固定されてなるバケットエレベータの可動底板シール装置において、
前記底部ケーシングの内壁面に固定スカートを取り付け、該底部ケーシングの内壁面と該固定スカートとの間に形成された隙間に、前記シール部材が固定された可動底板の開口周縁側壁部が挿入されていることを特徴とするバケットエレベータの可動底板シール装置。
【請求項２】
前記容器状の可動底板は、底部ケーシングの外側に取り付けた可動調整ねじにより、上下方向に変位可能に支持されていることを特徴とする請求項１記載のバケットエレベータの可動底板シール装置。
【請求項３】
前記容器状の可動底板は、下部にボルトで固定されたパンを備えていることを特徴とする請求項１又は２記載のバケットエレベータの可動底板シール装置。
【発明の詳細な説明】
【技術分野】
【０００１】
本発明は、穀類、その他粉粒物等の粉粒体を搬送するバケットエレベータのケーシング内を上下方向に変位可能に支持された容器状の可動底板のシール装置に関する。
【背景技術】
【０００２】
従来、バケットエレベータの底部ケーシング内を上下動変位可能に支持された可動底板と底部ケーシング内壁との間には、ケーシング内を搬送される粉粒体が可動底板とケーシング内壁との隙間から下方へこぼれ落ちることを防止する手段として、例えば、実用新案登録公報第２５４８２３５号に見られるように、可動底板の開口部周囲にシール部材を取り付けて、シール部材をそれ自体の弾力によってケーシング内壁に摺動自在に密着させる可動底板シール装置が提案されている。
【特許文献１】実用新案登録公報第２５４８２３５号
【発明の開示】
【発明が解決しようとする課題】
【０００３】
前記従来の可動底板シール装置では、シール部材が新しい間は弾力性が大きく、底部ケーシング内壁へ密着して十分なシール効果を発揮するが、長期の使用によってシール部材が劣化すると、弾力性が失われてシール効果が減少し、また、底部ケーシングや可動底板のひずみにより、可動底板の開口部周囲に取り付けられたシール部材と底部ケーシング内壁との間から粉粒体が下方へ漏れ出し、この漏れ出した粉粒体が堆積し、その清掃作業や処理に多大な時間と労力を費やす、という問題があった。
【０００４】
そこで、本発明は、前述したような従来技術における問題点を解消し、長期に亘り容器状の可動底板とケーシング内壁との間のシール効果を維持することができ、長期の使用によっても容器状の可動底板と底部ケーシング内壁との間から粉粒体の漏出しを防止でき、また、容器状の可動底板の上下動変位が容易にでき、さらに容器状の可動底板内部の清掃作業が容易にできるバケットエレベータの可動底板シール装置を提供することを目的とする。
【課題を解決するための手段】
【０００５】
請求項１に係る本発明は、バケットエレベータの底部ケーシング内を上下方向に変位可能に支持された容器状の可動底板の開口周縁側壁部全周に亘って、シール部材が固定されてなるバケットエレベータの可動底板シール装置において、前記底部ケーシングの内壁面に固定スカートを取り付け、該底部ケーシングの内壁面と該固定スカートとの間に形成された隙間に、前記シール部材が固定された開口周縁側壁部が挿入されているバケットエレベータの可動底板シール装置、という構成により前記課題を解決したものである。
【０００６】
請求項２に係る本発明は、前記請求項１に係る本発明のバケットエレベータの可動底板シール装置において、前記容器状の可動底板は、底部ケーシングの外側に取り付けた可動調整ねじにより、上下方向に変位可能に支持されている、という構成としたものである。
【０００７】
請求項３に係る本発明は、前記請求項１又は２に係る本発明のバケットエレベータの可動底板シール装置において、前記容器状の可動底板は、下部にボルトで固定されたパンを備えている、という構成としたものである。
【発明の効果】
【０００８】
請求項１に係る本発明のバケットエレベータの可動底板シール装置によれば、バケットエレベータの底部ケーシング内を上下方向に変位可能に支持された容器状の可動底板の開口周縁側壁部全周に亘って、シール部材が固定され、前記底部ケーシングの内壁面に固定スカートを取り付け、該底部ケーシングの内壁面と該固定スカートとの間に形成された隙間に、前記シール部材が固定された開口周縁側壁部が挿入されているので、長期に亘り可動底板とケーシング内壁との間のシール効果を維持することができ、長期の使用によっても可動底板と底部ケーシング内壁との間から粉粒体が漏れ出すのを防止することができる。
【０００９】
請求項２に係る本発明のバケットエレベータの可動底板シール装置によれば、前記容器状の可動底板が底部ケーシングの外側に取り付けた可動調整ねじにより、上下方向に変位可能に支持されているので、可動底板の上下動変位を容易に行うことができる。
【００１０】
請求項３に係る本発明のバケットエレベータの可動底板シール装置によれば、前記容器状の可動底板が下部にボルトで固定されたパンを備えているので、ボルトの脱着でパンを容易に着脱することができ、可動底板内部の清掃作業が容易に行うことができる。
【発明を実施するための最良の形態】
【００１１】
本発明の実施例を図１〜図４を参照して説明する。図１は本発明実施例におけるバケットエレベータの底部ケーシングの要部を示す正面図であり、容器状の可動底板８が下方に下降した状態を示している。全体構造の図示は省略するが、バケットエレベータ１は、筒状のケーシング２の内部で上下方向に循環走行する一対の無端状のチェーン３に取り付けられた多数のバケット４を有している。
【００１２】
多数のバケット４が取り付けられた一対のチェーン３は、ケーシング２の上方に設けられている一対の駆動スプロケット（図示略）と下方に設けられている一対の従動スプロケット５とに掛け渡され、前記駆動スプロケットを回転駆動することにより、バケット４がケーシング２内で上下方向に循環走行し、ケーシング２の下部側方に設けられている投入口６から投入された粉粒体を、バケット４に受け入れて上昇搬送してケーシング２上部に設けられている排出口（図示略）から送り出すようになっている。
【００１３】
筒状のケーシング２は、下方部分が底部ケーシング７で形成され、この底部ケーシング７を備えているケーシング２自体は全体が一体構造になっている。底部ケーシング７には、容器状の可動底板８が上下動変位可能に設けられる。図２に示すように、この容器状の可動底板８は、底部ケーシング７の外側に固定した支持フレーム９に上下位置調整可能に設けた可動調整ねじ１０、及び可動調整ねじ１０に取り付けた可動底板８のブラケット１１を介して懸垂支持される。
【００１４】
可動底板８を上下位置調整して固定する場合、可動調整ねじ１０に設けた締付けナット１０ａ，１０ｂを緩めると、支持フレーム９に穿設した貫通孔に遊嵌された可動調整ねじ１０は上下動自在となり、締付けナット１０ａ，１０ｂでの支持フレーム９への締結により上下方向適宜の位置で固定され、容器状の可動底板８は可動調整ねじ１０により懸垂支持される。
【００１５】
容器状の可動底板８は、上方が開口し、図２に示すように、下部にボルト８ｃで固定したパン８ｄを備えている。図４に示すように、容器状の可動底板８の上方における開口周縁側壁部８ａには、その全周に亘ってシール部材１２が固定される。開口周縁側壁部８ａには、従動スプロケット軸５ａに当たらないように、この従動スプロケット軸５ａの嵌入が可能な形状の凹溝８ｂが形成されている。なお、図１における符号１３は点検窓、１４はエアノズル、１５はエアパイプ接続孔である。
【００１６】
図３に示すように、底部ケーシング７の内壁面７ａにスペーサ部材１６を介在させてボルト１７で隙間１８を形成するように、上端に折曲部１９ａを有する固定スカート１９が取り付けられる。上端における折曲部１９ａの内側にはシールパッキン１９ｂが接着される。容器状の可動底板８は、前記のように底部ケーシング７内を上下方向に変位可能に設けられるが、この場合、シール装置を形成するために、底部ケーシング７の内壁面７ａと固定スカート１９との間に形成された隙間１８に、シール部材１２を固定した可動底板の開口周縁側壁部８ａが挿入される。
【００１７】
以上、バケットエレベータの可動底板シール装置の構造について説明したが、その作用、効果は以下のとおりである。バケットエレベータ１の底部ケーシング７内を上下方向に変位可能に可動調整ねじ１０で懸垂支持された容器状の可動底板８は、シール部材１２が固定された可動底板の開口周縁側壁部８ａが底部ケーシング７の内壁面７ａと固定スカート１９との間に形成された隙間１８に挿入されているので、可動底板の開口周縁側壁部８ａと底部ケーシング７の内壁面７ａとの間から粉粒体が漏れ出すのを防止することができると共に、直接シール部材で粉粒体の漏れ出しを防ぐ構造でないため、シール部材１２の劣化が少なく、長期に亘り可動底板８と底部ケーシング内壁面７ａとの間のシール効果を維持することができる。
【００１８】
また、固定スカート１９が上端に折曲部１９ａを有している場合、容器状の可動底板８と底部ケーシング内壁面７ａとの間に粉粒体が漏れ出さないため、シール効果をさらに向上させることができ、さらに既存のバケットエレベータに固定スカート１９を取り付ければよいので、改造を容易に行うことができる。
【００１９】
容器状の可動底板８が底部ケーシング７の外側に取り付けた可動調整ねじ１０により、上下方向に変位可能に支持されているので、チェーンが伸びて下部の従動スプロケット軸５ａをテークアップ装置（図示略）などで移動させた場合には、従動スプロケット軸５ａに可動底板８が当たらないようにするための移動変位を容易に行うことができる。
【００２０】
容器状の可動底板８が下部にボルト８ｃで固定されたパン８ｄを備えているので、ボルト８ｃの脱着でパン８ｄを容易に着脱することができ、容器状の可動底板８内部の清掃作業を容易に行うことができる。
【００２１】
以上、実施例として、バケットがチェーンに装着されている構造のバケットエレベータの可動底板シール装置について説明したが、バケットエレベータは、上下に配置されたプーリ間に掛け渡されているベルトにバケットが取り付けられている構造のものでもよい。
【図面の簡単な説明】
【００２２】
【図１】本発明実施例におけるバケットエレベータの底部ケーシングの要部を示す正面図である。
【図２】容器状の可動底板を支持する可動調整ねじ近傍の正面図である。
【図３】図２におけるＡ部の拡大図である。
【図４】容器状の可動底板の斜視図である。
【符号の説明】
【００２３】
１      バケットエレベータ            ２      筒状のケーシング
３      チェーン                      ４      バケット
５      従動スプロケット              ５ａ    従動スプロケット軸
６      投入口                        ７      底部ケーシング
７ａ    内壁面                        ８      容器状の可動底板
８ａ    開口周縁側壁部                ８ｂ    凹溝
８ｃ    ボルト                        ８ｄ    パン
９      支持フレーム                  １０    可動調整ねじ
１０ａ，１０ｂ    締付けナット        １１    ブラケット
１２    シール部材                    １３    点検窓
１４    エアノズル                    １５    エアパイプ接続孔
１６    スペーサ部材                  １７    ボルト
１８    隙間                          １９    固定スカート
１９ａ  折曲部                        １９ｂ  シールパッキン
【図１】
2007276923.tif 000003
【図２】
2007276923.tif 000004
【図３】
2007276923.tif 000005
【図４】
2007276923.tif 000006